(57)【要約】      （修正有）【課題】装置前方に大きなスペースを確保することなく、消火栓扉を開いて行うホース巻き取り作業や点検作業を行い易くする。【解決手段】筐体開口部に下側を軸としてのヒンジ２１により下向きに開閉自在な消火栓扉１８を設け、消火栓扉１８を開いてホース収納空間に収納したノズル付きホースを引き出して放水する。消火栓扉１８は、消火栓扉１８の高さ方向の幅Ｈ１が、扉下端から筐体下端までの高さＨ２より大きくなるように設定し、開放時に扉上端が筐体下端付近に位置して斜め下向きに開放するようにヒンジ２１を筐体開口部に回動自在に配置する。ホース収納空間にはホースを押さえると共に前部にホース取出口を仕切り形成したホースバケット４０が設けられ、消火栓扉１８のヒンジ２１を、ホース取出口の下端近傍に配置する。【選択図】図５
2011015949.tif 000002
【特許請求の範囲】
【請求項１】
筐体開口部に下側を軸として下向きに開閉自在な消火栓扉とを設け、前記消火栓扉を開いてホース収納部に収納したノズル付きホースを引き出して放水する消火栓装置に於いて、
前記消火栓扉の高さ方向の幅が、前記扉下端もしくは扉回動軸から筐体下端までの高さより大きく設定し、開放時に扉上端が筐体下端付近に位置して斜め下向き手前の開放位置となるように前記消火栓扉の回動軸を前記筐体開口部に回動自在に配置したことを特徴とする消火栓装置。
【請求項２】
請求項１記載の消火栓装置に於いて、
前記ホース収納部を囲んでホースを押さえると共に前部にホース取出口を仕切り形成したホースバケット構造を有し、
前記消火栓扉の回動軸を、前記ホース取出口の下端近傍に配置したことを特徴とする消火栓装置。
【請求項３】
請求項２記載の消火栓装置に於いて、前記消火栓扉の上端は、前記ホース取出口の上端又は上端を越える位置としたことを特徴とする消火栓装置。
【請求項４】
請求項２記載の消火栓装置に於いて、前記消火栓扉を配置する筐体開口部の上端を、消防隊が使用する筐体内の上部に配置された機器を隠す位置としたことを特徴とする消火栓装置。
【請求項５】
請求項２記載の消火栓装置に於いて、前記消火栓扉の回動軸を、筐体下方に配置したメンテナンス装置よりも上方に設定したことを特徴とする消火栓装置。
【請求項６】
請求項１記載の消火栓装置に於いて、前記消火栓扉は、扉上端の両側に支持アームを延在し、前記支持アームの間にハンドルポールを回転自在に支持したことを特徴とする消火栓装置。
【請求項７】
請求項１記載の消火栓装置に於いて、
前記消火栓扉の斜め下向きの開放位置で、ホース取出口の下端側を仕切り形成するホースガイドに下側から当接して位置決めするストッパ部材を設けたことを特徴とする消火栓装置。
【請求項８】
請求項１記載の消火栓装置に於いて、前記ストッパ部材は緩衝部材であることを特徴とする消火栓装置。
【請求項９】
請求項１記載の消火栓装置に於いて、
前記消火栓扉から分離されて筐体側に配置され、前記消火栓扉の所定角度以上の開放状態で接触して扉の回動を抑制する緩衝装置を設けたことを特徴とする消火栓装置。
【請求項１０】
請求項９記載の消火栓装置に於いて、前記消火栓扉は、前記緩衝装置に接触する当接部を前記回動軸を越えて下側に延在したことを特徴とする消火栓装置。
【請求項１１】
請求項９記載の消火栓装置に於いて、前記消火栓扉は前記消火栓開閉レバーが操作可能となる位置まで開放したときに前記緩衝装置に接触することを特徴とする消火栓装置。
【発明の詳細な説明】
【技術分野】
【０００１】
本発明は、火災時に扉を開いてノズル付きホースを引き出して消火する消火栓装置に関する。
【背景技術】
【０００２】
従来、自動車専用道路などのトンネル内には、火災発生時に備えて消火栓装置が設置されている。
【０００３】
図１５は従来の消火栓装置１００の扉板を外して内部構造を示した正面図であり、図１６は消火栓装置１００の消火栓扉１０４を開いた状態の内部構造の平面図であり、図１７はその側面図である。消火栓装置１００の筐体１０２の前面には消火栓扉１０４と消火器扉１０６が設けられている。
【０００４】
消火栓扉１０４の表面にはハンドルが設けられ、ハンドルを手前に引くことでロックを解除し、下側を軸に消火栓扉１０４を前方に開放することができる。また消火栓扉１０４と筐体１０２との間には緩衝用ダンパ１０８が設けられ、消火栓扉１０４を滑らかに開放できるようにしている。
【０００５】
消火栓扉１０４の内部には、先端にノズル１１０を装着したホース１１２を筐体内のホースバケット１１６に内巻きして収納している。ホース１１２はホースバケット１１６の側面板に開口した孔を通してホースバケット１１６内に収納される。その孔には、ホース１１２を引き出したときに、ホース１１２が擦れてホース表面が傷付くことを防ぐために、ホース１１２は保護管１１２ａの中を通ってホースバケット１１６内に入る。
【０００６】
消火栓扉１０４に設けた消火栓弁開閉レバー１１４は、操作用のワイヤー１１８によりバルブ類収納部に配置している消火栓弁１２０に連結され、消火栓弁開閉レバー１１４の開閉操作に伴うワイヤー１１８の動きで、消火栓弁１２０を開閉制御している。
【先行技術文献】
【特許文献】
【０００７】
【特許文献１】特開２００５−３１８９７２号公報
【発明の概要】
【発明が解決しようとする課題】
【０００８】
しかしながら、このようなトンネル消火栓装置にあっては、開放した消火栓扉が水平位置で止まるようにしていたため、消火栓扉を開放した状態でホースが扉横に落ちると、その後、ホースが落ちた側と反対側にホースを引っ張ったとき、ホースが扉に当って折れて放水障害が発生したり、ホースをさらに引き出すことができなくなる可能性がある。
【０００９】
また、消火栓扉１０４を装置前方の水平位置に開放するための大きなスペースを必要とするという問題もある。
【００１０】
また、消火栓扉１０４は開放してノズル１１０によりホース１１２を引き出して放水した後にホースバケット１１６内にホース１１２を巻き戻すことになるが、その際に、開放状態にある消火栓扉１０４に作業員が乗って作業する。また、消火栓装置のバルブ類などを点検する点検作業の際にも、開放した消火栓扉１０４に点検作業者が乗って作業する。このため、消火栓扉１０４は作業員が乗った場合の重量に耐えられる堅牢の構造としており、このため消火栓扉の重量が増加し、消火栓扉を閉じる作業も大変になっている。
【００１１】
この問題を解消するためには消火栓扉のサイズを小さくして軽量化することも考えられるが、軽量化のためにサイズを小さくすると筐体前面の開口部が小さくなり、ホース巻き戻し作業や保守作業のためのスペースを有効に確保できないという問題がある。
【００１２】
また、扉を軽量化する際に扉の構造を簡略化すると、誤って作業員が扉に乗った場合、扉が壊れてしまい、交換が必要となる。
【００１３】
更に、ホース巻き戻しや点検作業の際には消火栓扉を開放していなければならないため、消火栓扉のサイズが小さくできても、開放状態で前方に飛び出している消火栓扉が作業の邪魔となり、作業性が悪いという問題が依然として残されている。
【００１４】
本発明は、装置前方に大きなスペースを確保することなく、消火栓扉を開いて行うホース巻き取り作業や点検作業を行い易くする消火栓装置を提供することを目的とする。
【課題を解決するための手段】
【００１５】
本発明は、筐体開口部に下側を軸として下向きに開閉自在な消火栓扉とを設け、消火栓扉を開いてホース収納部に収納したノズル付きホースを引き出して放水する消火栓装置に於いて、
消火栓扉の高さ方向の幅が、扉下端もしくは扉回動軸から筐体下端までの高さより大きく設定し、開放時に扉上端が筐体下端付近に位置して斜め下向きの開放位置となるように消火栓扉の軸を筐体開口部に回動自在に配置したことを特徴とする。
【００１６】
ここで、本発明の消火栓装置は、ホース収納部を囲んでホースを押さえると共に前部にホース取出口を仕切り形成したホースバケット構造を有し、消火栓扉の軸を、ホース取出口の下端近傍に配置する。また消火栓扉の上端は、ホース取出口の上端又は上端を越える位置とする。
【００１７】
また、消火栓扉を配置する筐体開口部の上端を、消防隊が使用する筐体内の上部に配置された機器を隠す位置とする。
また、消火栓扉の回動軸を、筐体下方に配置したメンテナンス装置よりも上方に設定する位置とする。
【００１８】
消火栓扉は、扉上端の両側に支持アームを延在し、支持アームの間にハンドルポールを支持するようにしても良い。
【００１９】
また、消火栓扉の斜め下向きの開放位置で、ホース取出口の下端側を仕切り形成するホースガイドに下側から当接して位置決めするストッパ部材を設ける。ストッパ部材は緩衝部材とする。
【００２０】
また、消火栓扉から分離されて筐体側に配置され、消火栓扉の所定角度以上の開放状態で接触して扉の回動を抑制する緩衝装置を設ける。消火栓扉は、緩衝装置に接触する当接部を前記軸を越えて下側に延在する。消火栓扉は消火栓開閉レバーが操作可能となる位置まで開放したときに緩衝装置に接触する。
【発明の効果】
【００２１】
本発明によれば、開放時に扉上端が筐体下端付近に位置して斜め下向きの開放位置となるように消火栓扉を配置したことにより、消火栓扉の開放位置を水平位置とした場合に比べ、開放状態での消火栓扉の前方へ飛び出し量を低減し、操作者は筐体に近づいた状態で必要な操作を容易に行うことができる。
【００２２】
また、消火栓扉は斜め下向きという扉の裏には載りにくい位置に開放しているため、操作者は心理的に扉裏面に乗ろうとはせず、開放状態にある扉裏面に操作者がのることによる扉の破壊を防止し、扉を簡易な構造として軽量化を図ることができる。
【００２３】
また、開放時に扉上端が筐体下端付近に位置して斜め下向きの開放位置となるため、扉裏面に操作案内表示板を取り付ければ斜め上方からの見易い位置となり、操作案内表示板を見ながら適切に消火栓装置の操作ができる。
【００２４】
また、開放時に扉上端が筐体下端付近に位置して斜め下向きの開放位置となるため、ノズル付きホースを横方向に引き出した場合、ホースが消火栓扉の下側に回りこんで横に引き出されて折れ曲がる所謂キンクを確実に防止することができる。
【００２５】
また、緩衝装置を消火栓扉から分離して筐体側に配置し、消火栓扉の所定角度以上の開放状態で接触して扉の動を抑制するようにしたため、消火栓扉が開放途中から緩衝作用が働くため、消火時に操作する部材がはっきり見える位置まで、より早く扉を開き、その後、緩衝装置の作用で衝撃を吸収して全開位置までゆっくり開くことができる。
【図面の簡単な説明】
【００２６】
【図１】本発明による消火栓装置の実施形態を正面から示した説明図
【図２】図１について扉側を外して本体内部構造を示した正面図
【図３】図１について内部構造を示した平面図
【図４】図１についてバルブ類収納部の内部構造を示した平面図
【図５】本発明による扉支持構造の実施形態を扉の閉鎖状態と開放状態で示した側面図
【図６】本実施形態の消火栓扉を開いた状態を示した正面図
【図７】本発明による消火栓装置の他の実施形態を示した側面図
【図８】図７の扉支持構造の実施形態を扉の閉鎖状態と開放状態で示した側面図
【図９】本発明における扉支持構造の他の実施形態を扉の閉鎖状態と開放状態で示した側面図
【図１０】緩衝装置を用いた本発明の他の実施形態を扉側を外して本体内部構造により示した正面図
【図１１】図１０について内部構造を示した平面図
【図１２】図１０について開放した消火栓扉が緩衝装置に当接した状態での内部構造を示した側面図
【図１３】図１２に続いて消火栓扉が斜め下向きの全開位置に開放した状態での内部構造を示した側面図
【図１４】本発明で使用する緩衝装置の実施形態を示した断面図
【図１５】従来の消火栓装置の扉を外して内部構造を示した正面図
【図１６】従来の消火栓装置の扉を開放して内部構造を示した平面図
【図１７】従来の消火栓装置の扉を開放して内部構造を示した側面図
【発明を実施するための形態】
【００２７】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に連結固定部１５で固定した状態とし、この状態でトンネル現場に搬入して架台１１上に設置している。
【００２８】
化粧板１４−１，１４−２には扉開口部１６，１７が設けられている。筐体１２−１の扉開口部１６には、消火栓扉１８と保守扉２２が設けられており、その内部がホース収納空間及びバルブ類収納空間となっている。
【００２９】
消火栓扉１８は、扉開口部１６に対し下側の軸となるヒンジ２１を中心に下向きに開閉自在に設けられており、マグネットと受け板を用いた下扉ロック機構７０により閉止位置に閉じている。消火栓扉１８は、ハンドル２０を手前に引いて下扉ロック機構５６の磁気吸着によるロックを外すことで前方に開閉することができる。
【００３０】
本実施形態で扉開口部１６は内部のホース収納空間に形成されたホース取出口に相対して筐体全部の略中央に形成され、扉下部のヒンジ２１による消火栓扉１８の軸支による回動支持で下向きに開放した場合、扉上端が筐体下部付近に位置し、消火栓扉１８の高さ方向の幅Ｈ１は、扉開口部１６の下端から筐体下端までの間隔Ｈ２により大きいため、消火栓扉１８は斜め下向きの開放位置に開放される。
【００３１】
消火栓扉１８の上には前向きに開閉する保守扉２２が設けられており、マグネットと受け板を用いた上扉ロック機構６８により磁気吸着により閉止位置に保持されており、点検時に消火栓扉１８を開放した後に保守扉２２の下端を手前に引くことで開くことができる。また、筐体１２−１の上部両側には装置を吊り下げるための吊り輪２５が取り付けられている。
【００３２】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００３３】
赤色表示灯２６は常時点灯し、消火栓装置１０の設置場所が遠方から分かるようにしている。火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００３４】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００３５】
図２は図１の実施形態について筐体１２−１側の消火栓扉１８を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００３６】
図２において、筐体１２−１の左側にはホース収納空間３６が形成され、右側にバルブ類収納空間３８を形成している。
【００３７】
ホース収納空間３６には、ホースバケット構造が設けられる。ホースバケット構造にはフレームパイプを屈曲して水平方向で上下に配置したフレーム部分を持つバケットフレーム４０が配置され、内部にホース収納空間を形成している。
【００３８】
バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００３９】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。
【００４０】
特に、張出ホースガイド４７はホース４４を左方向に引き出す際のホースの急激な折れ曲がりを緩和して滑らかな引き出しを可能とする。
【００４１】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００４２】
即ち、ホース接続口４６に接続したホース４４は、まず筐体１２−１の下側内壁に沿うようにホース収納部３６方向に向かい、ホース収納空間３６の下側から巻き込まれ、第１筐体左側面内面を伝って筐体上方に向かい、その後に、右回りに収納空間内に巻き込まれ、最後にノズル４８を装着したホース先端をバケットフレーム４０の中央から右側にオフセットして扉開口部１６の中央付近に取り付けられたホースガイド４２で形成されたホース取出口４５から取り出し、上側のバケットフレーム４０の右端に固定しているノズルホルダー５０にノズル４８を左横向きに着脱自在に保持している。
【００４３】
ノズル４８は放水部４８ａとハンドル４８ｂから構成されており、ノズルホルダー５０に対し放水部４８ａの横向きに保持した状態で、ハンドル４８ｂは放水部４８ａの下側に位置して消火栓扉１８の開放による下側扉開口部の中央方向に向くように保持されている。
【００４４】
このようなホース収納空間３６に対しホース接続口４６を最下部に位置させて右巻きした内巻きにより収納することで、図１５の従来例に示したように、ホース１１２を左巻きとしてホース巻き込み開始部分１１２ａをホース収納空間の上部に送り込む場合のホース収納空間から外れるホース部分（巻き込み半周程度）がなくなり、その分、ホース４４を短くでき、ホース収納空間３６の容積が減ることで、結果的に筐体１２を薄型化できる。
【００４５】
また、ホース巻き込み開始部分は右巻きによりホース収納空間３６の下側に送りこまれるため、ホース４４がホースバケット４２に当って摺動するようなことはなく、図１５の従来のホース左巻きによりホースバケットに当って摺動することに対する保護の必要がなく、構造を簡単にできる。
【００４６】
またホース収納空間３６に右巻きとして収納した後にホース取出口４５から取り出したホース先端のノズル４８は放水部４８ａを横向きにしてノズルホルダー５０に着脱自在に装着されており、放水部４８ａが横向きであることから、消火栓扉１８を開いてノズル４８の放水部４８ａを横に向けたまま外すことができ、消火栓弁に設けている消火栓弁開閉レバー６４を操作しない限り、放水されないが、火災時に操作する者にとっては不慣れであることから、放水口が自分に向かないことで、安心感をもってノズル４８を外すことができ、安全面でのメリットが大きい。
【００４７】
更に、ホース４４の右巻き収納に併せて、ノズル４８をホース収納空間の右側にノズルホルダー５０の保持により配置したため、ホース取出口４５を通して引き出されるホース４４の極度の屈曲を抑え、ホース４４を傷めることなく、またホース４４の引き出し作業及び収納作業を容易に行うことができる。
【００４８】
またノズルホルダー５０に横向きに保持された放水部４８に対しハンドル４８ｂは下側扉開口部の中央方向に向いているため、消火栓扉１８を開いた際にハンドル４８ｂを目立たせ、またノズル４８の取り出しは、右手であっても、左手であっても、殆ど違和感なく、容易にハンドルを掴んで外すことができる。なお、ノズル４８のハンドル４８ｂをさらに目立たせるため、ハンドル位置に「ノズル」や「ハンドル」などの文字を目立たせるように明記しても良いし、ハンドル部分を蛍光色などで塗装するようにしても良い。
【００４９】
筐体１２−１に設けたホース収納空間３６の右側に配置したバルブ類収納空間３８には、ポンプ設備からの配管が接続される消火栓接続口からホース接続口４６に至る配管系統に、給水弁５１、消火栓弁、自動調圧弁、自動排水弁、及びメンテナンス装置を設けている。このうち消火栓弁に設けた消火栓弁開閉レバー６４に対応して銘板６６が設けられており、銘板６６の裏側に消火栓弁、自動調圧弁、自動排水弁が配置されている。給水弁５１の右側手前にはポンプ起動スイッチ７８が設けられている。
【００５０】
給水弁５１及びポンプ起動スイッチ７８は、一般ユーザではなく、消防隊が使用する機器として設けられており、このため消火栓扉１８の開口部の上部を仕切る図１に示した保守扉２２の背後に配置されている。
【００５１】
ここで、上側のバケットフレーム４０の右端に取り付けたノズルホルダー５０に装着されたノズル４８は、バルブ類収納空間の前面側に配置された消火栓弁開閉レバー６４付近に配置され、ノズル４８を取り出して消火栓弁を開くという相互に関連した操作を行い易くしている。なお、消火栓弁開閉レバー６４もノズル４８と同様に目立つように蛍光色で塗装したり、レバーの文字を目立つように記入してあっても良い。
【００５２】
図３は、図１について内部構造を示した平面図である。図３において、筐体１２−１と筐体１２−２は連結固定部１５においてボルトにより固定されている。筐体１２−１のホース収納空間３６には平面から見て横Ｌ字形にバケットフレーム４０が配置され、筐体内壁との間に形成したホース収納空間３６にホース４４を右巻きにより内巻き状態で収納している。また、消火器収納空間３９には２本の消火器３７が消火器扉３２の覗き窓３５を介して外部から見える位置に規制されて収納されている。
【００５３】
上下２段に配置したバケットフレーム４０に図２のように一対のホースガイド４２を固定して仕切り形成したホース取出口４５の下側には、張出ホースガイド４７が設けられており、張出ホースガイド４７はその内側にホース４４の外径に略相当する幅の張出スペースを確保している。勿論、張出ホースガイド４７の張出し量は、消火栓扉１８を閉鎖したときに当らない位置となるように前方に張り出しており、ホース１本が少なくとも入る幅を有するとよりよい。
【００５４】
バケットフレーム４０における前面右端にはノズルホルダー５０が取り付けられ、ノズルを横向きに着脱自在に保持できるようにしている。更に、給水弁５１の右側手前位置にはポンプ起動スイッチ７８が配置されている。
【００５５】
図４は図１のバルブ類収納空間の構造を示している。図４において、筐体１２−１の前面の閉鎖状態にある消火栓扉１８は、ハンドル操作によりラッチを解除することで、ヒンジ２１を中心に図示の前方位置に開くことができる。
【００５６】
本実施形態の場合、消火栓扉１８には従来のように、ノズル、消火栓弁開閉レバー及びホースガイドが設けられていないことから軽量化されており、開放の際の衝撃を吸収するため、扉開口部１６の下部両側のコーナ部に小型の緩衝装置を設けるだけで良い。
【００５７】
バルブ類収納空間３８には、給水弁５２、消火栓弁５４、自動調圧弁５６及びメンテナンス装置６０が縦方向に連設配置されている。自動排水弁５８は消火栓弁５４の２次側に装着されている。
【００５８】
消火栓弁５４には直接に消火栓弁開閉レバー６４が装着されている。即ち消火栓弁開閉レバー６４が図示の上向き位置の閉位置のとき、消火栓弁５４は閉状態であり、このとき配管内に消火用水が存在せず、圧がないことから自動排水弁５８は開状態にある。
【００５９】
消火栓弁開閉レバー６４を下向きとなる開位置に操作すると、消火栓弁５４が開放位置に作動され、配管内に圧が上昇して自動排水弁５８は閉鎖位置に作動される。これによって、給水接続口５１から加圧された消火用水を自動調圧弁５６を通して所定圧に調圧した後、ホース４４側に供給するようにしている。
【００６０】
同時に消火栓弁開閉レバー６４の背後に設置しているスイッチがオンし、これによってポンプ設備に信号が送られ、ポンプ設備が起動される。放水を停止する際には、消火栓弁開閉レバー６４を元の上向き位置に戻すと消火栓弁５４が閉じ、同時にスイッチがオフとなってポンプ設備の運転停止が行われる。
【００６１】
メンテナンス装置６０は自動調圧弁５６とホース接続口４６の間に設けられ、消火栓扉１８を開放した状態で筐体１２−１の正面からみた場合に、開放した消火栓扉１８及び化粧板１４−１の下枠に隠れる位置に配置されている。メンテナンス装置６０には、試験用ノズルを先端に備えた試験用ホースが接続されるホース接続部６２を備える。通常時はホース接続部６２をキャップ等で閉じていることで、メンテナンス装置６０は自動調圧弁５６とホース接続口４６を連通状態となり、消火栓弁５４を開放すれば消火用水がホース４４に供給されてノズル４８を使用して消火作業を行うことができる。試験時には、メンテナンス装置６０のホース接続口６２に試験用ホースを接続することで、自動調圧弁５６とホース接続口４６の連通状態を切り離し、自動調圧弁５６とホース接続口６２を介した試験用ホースへの連通状態に切り替える。これにより、ホース４４をホース収納空間３６から引き出すことなく、試験用ノズルからの放水圧を試験することができる。メンテナンス装置６０は化粧板１４−１の下枠及び消火栓扉１８により隠れることから、実際の火災時には使用しない装置を極力隠すことで、消火作業に慣れない一般の人が消火作業に悪影響を与えないようにしている。このため、化粧板１４−１の下枠部の高さＨ２あるいは消火栓扉１８の回動軸の高さを、メンテナンス装置６０が隠れる高さに設定している。
【００６２】
またこのように本実施形態にあっては、従来、消火栓扉に設けてワイヤー連結により消火栓弁を開閉していた消火栓弁開閉レバー６４を筐体１２側に配置して消火栓弁５４に直接設けたことで、消火栓扉１８の構造が簡略化され、薄型化と軽量化を達成することができる。
【００６３】
図５は図１における扉支持構造の実施形態を図５（Ａ）の扉閉鎖状態と図５（Ｂ）の扉開放状態として示している。
【００６４】
図５（Ａ）において、消火栓扉１８は図１に示した下扉ロック機構７０のマグネット７０ａを、筐体側となる化粧板１４−１側に配置し、これに扉側に取り付けた受け板７０ｂを磁気的に吸着して閉鎖位置にロックしている。
【００６５】
また消火栓扉１８の上部には保守扉２２が上部のヒンジ２３により上向に開閉自在に設けられており、図１に示した上扉ロック機構６８のマグネット６８ａを筐体側となる化粧板１４−１側に配置し、これに扉側に取り付けた受け板６７ｂを磁気的に吸着して閉鎖位置にロックしている。
【００６６】
消火栓扉１８は、高さ方向の幅Ｈ１が、扉下端（もしくは扉回動軸となるヒンジ２１）から筐体１２−１の下端までの高さＨ２より大きくなるように設定しており、開放時に扉上端が筐体下端付近に位置して斜め下向きの開放位置となるように消火栓扉１８の軸としてのヒンジ２１を図１に示した扉開口部１６に回動自在に配置している。
【００６７】
即ち、本実施形態にあっては、筐体１２−１の内部のホース収納空間３６にはホースバケット４０が配置されており、ホースバケット４０の前面の図１に示したホース取出口４０の下端近傍に消火栓扉１８のヒンジ２１を配置している。また消火栓扉１８の上端は、ホース取出口４０の上端又は上端を若干越える位置としている。よって、消火栓扉１８の高さＨ１はホース収納空間３６のホース取出口４５の開口高さとほぼ同じに設定している。
【００６８】
このような消火栓扉１８のヒンジ２１の位置は、図１０に示した従来装置と比較し、ヒンジ２１を位置上げした構造としている。また、扉開口部の下端には斜め下向きのストッパ面７２が形成されている。
【００６９】
このヒンジ２１を位置上げした消火栓扉１８の構造により、消火栓扉１８を図５（Ｂ）に示すように、扉上端が筐体下部付近に位置する斜め下向きの開放位置に開放させることができる。
【００７０】
即ち、図１に示したハンドル２０に手を入れて引くことで、マグネット７０ａと受け板７０ｂの磁気的吸着によるロックが解除され、消火栓扉１８をヒンジ２１を中心に手前に開くと、水平位置から更に回動して斜め下向きとなる開放位置に開くことができる。この開放位置で消火栓扉１８は扉開口部下端のストッパ面７２にヒンジ２１に近い面が当接して開放位置とする。なお、開放位置で扉下端部が当接する位置にショックアブソーバーやゴム部材などの緩衝装置を設けるようにしても良い。ストッパ面７２にゴム板等の緩衝材を貼り付けても良い。
【００７１】
図５（Ｂ）に示す消火栓扉１８の斜め下向きの開放位置にあっては、水平位置での飛び出し量Ｌ２に対し、飛び出し量がＬ１と減少しており、操作者はより筐体に近づいた状態で必要な操作を容易に行うことができる。
【００７２】
また、消火栓扉１８は斜め下向きという扉の裏には乗りにくい傾斜状態に開放しているため、操作者は心理的に扉裏面に乗ろうとはせず、開放状態にある扉裏面に操作者が乗ることによる扉の破壊を防止し、扉を簡易な構造として軽量化を図ることができる。
【００７３】
また、消火栓扉１８の裏面に操作案内表示板を取り付けた場合、消火栓扉１８を斜め下向きに開放した位置で裏面は斜め上方からの見易い位置となり、裏面に設けた操作案内表示板を見ながら適切に消火栓装置の操作ができる。消火栓扉を開ける前は、消火栓扉前面に配置された操作案内板を見て扉の開放を行うことができ、開放後は開口部に存在するノズル４８と消火栓弁開閉レバー６４を認識して消火栓扉裏面の操作案内板を見ながら消火作業を容易に行うことができる。
【００７４】
ここで消火栓扉１８のヒンジ２１を位置上げしたことに伴い、消火栓扉１８の高さ方向の幅Ｈ１及びこれに相対した扉開口部の高さ方向の開口幅が狭くなるが、消火栓扉１８を開くと、図２に示すバケットフレーム４０の前面のホース取出口４５は前方に完全に開口され、ホース取出口４５から滑らかにホース４４を引き出すことができるため、消火栓扉１８の高さ方向の幅Ｈ１及びこれに相対する扉開口部の高さ方向の開口幅がヒンジ２１の位置上げで従来に比べ狭くなっても、ホース引出しに対する影響はない。
【００７５】
図６は本実施形態について消火栓扉を開いた状態を示した正面図である。図１に示したハンドル２０に手を入れて引くことでロックを解除すると、消火栓扉１８は図５（Ｂ）に示したようにヒンジ２１を中心に手前に回動し、斜め下向きとなる開放位置に開くことができる。
【００７６】
この消火栓扉１８の開放状態で、化粧版１４−１の扉開口部１６の下側が開放露出し、前面位置に横向きに配置されたノズル４８及び消火栓開閉レバー６４が現れる。このように消火栓扉１８の開放でノズル４８が扉開口部の最前面に現れることで、ノズル４８を容易に取り出すことができる。
【００７７】
また、横方向に向いて保持されたノズル４８からはハンドル４８ｂが扉開放部の中央方向に伸びているため、ハンドル４８ｂを目立たせることとなり、また操作者の利き手にかかわらずノズル４８を取り出し易くすることができる。
【００７８】
また、ノズル４８は消火栓弁開閉レバー６４の近くに配置され、ノズル４８を取り出して消火栓弁を開くという相互に関連した操作を行い易くしている。更に、ノズル４８をホース収納空間の右側に横向きに配置したことで、ホース４４の右巻き収納に併せて、ホース収納空間からホース取出口４５を通して先端にノズル４８を装着しているホース４４が滑らかに屈曲され、極度の屈曲を抑えることでホースの損傷を防止し、またホース４４の引き出し作業や収納作業を容易に行えるようにしている。
【００７９】
ホース及びノズルの収納はホース収納部のみで完結しているため、消火栓扉などとの影響を殆ど考慮することなく収納作業を容易確実に行うことができる。
【００８０】
また開放した消火栓扉１８の裏面には、消火栓装置１０の操作方法を文字と図形による表示した操作表示板６５ａ，６５ｂ，６５ｃが配置されている。消火栓扉１８を斜め下向きに開放すると、操作表示板６５ａ，６５ｂ，６５ｃは外部に露出し、斜め情報からの見易い位置となることで、操作表示位置６５ａ，６５ｂ，６５ｃを見ながら確実且つ容易に操作を行うことができる。
【００８１】
また、消火栓扉１８の突出量を少なくするために、消火栓扉１８の開放角度を１８０度回して、消火栓扉の表面を化粧板下方表面に接触するまで開放させるよう設計することが考えられるが、この構造であると扉が化粧板に接触して、消火栓扉と化粧板の間の隙間がなくなり、消火栓扉を閉止するときに作業が行いづらい。また扉を開放するときに操作者の手が扉と化粧板の間に挟まれて怪我する可能性がある。本発明は消火栓扉を斜め下に開放固定されるために、閉止作業を行いやすく、且つ指を挟むなどの怪我をすることを防ぐことができる。
【００８２】
ここで、消火栓扉１８を開いた場合の開口部は、その上縁が保守扉２２の下端で決まることになるが、この扉開口部の上縁を、本発明にあっては、一般ユーザは使用せず、消防隊が使用する機器である給水栓５１及びポンプ起動スイッチ７８を隠す位置としている。このように消火栓扉１８を開いても、消防隊が使用する給水栓５１及びポンプ起動スイッチ７８が隠されているため、一般ユーザの操作から切り離され、不要な混乱を与えることがない。また消火栓扉１８の回動位置を上方に上げることで、メンテナンス装置を隠すことで、前記と同様に一般ユーザの操作から切り離され、不要な混乱を与えることがない。
【００８３】
また、消火栓扉１８は、図５（Ｂ）に示したように、開放時に扉上端が筐体１２−１の下端付近に位置して斜め下向きの開放位置となるため、ノズル付きホースを横方向に引き出した場合、ホースが消火栓扉１８の下側に回りこんで横に引き出されて折れ曲がる所謂キンクを確実に防止することができる。
【００８４】
図７は本発明による消火栓装置の他の実施形態を示した正面図であり、更に、図７における扉支持構造の実施形態を、図８（Ａ）の扉閉鎖状態と図８（Ｂ）の扉開放状態として示している。
【００８５】
図７の実施形態は、消火栓扉１８の扉上端の両側に支持アーム７６を延在し、支持アーム７６の間にハンドルポール７４を回転自在に支持したことを特徴とする。
【００８６】
これは図１の実施形態の場合、ハンドル２０に手を入れて消火栓扉１８を開く場合、図５（Ｂ）に示すように、斜め下向きに開く開放位置の手前でハンドル２０を手離す必要があり、また消火栓扉１８を閉じる際に、斜め下向きに開いている消火栓扉１８表面のハンドル２０の部分に手が入れにくい。
【００８７】
そこで図７の実施形態では、消火栓扉１８の上端に支持アーム７６によりハンドルポール７４を設け、ハンドルポール７４を掴んで手前に引くことでロックを解除し、ハンドルポール７４を掴んだまま最後の斜め下向きとなる開放位置まで開くことができる。
【００８８】
またハンドルポール７４は回転自在であるため、消火栓扉１８を開放する際にハンドルポール７８は扉に対し相対回転し、ハンドルポール７８を掴んだまま消火栓扉１８を開放側に開くことができる。
【００８９】
また図７（Ｂ）のように斜め下向きに開いている消火栓扉１８を閉じる際にも、ハンドルポール７４の部分に手が入ることから掴み易く、容易に扉の閉鎖を行うことができる。ハンドルポール７４は必ずしも回転自在にする必要はなく、消火栓扉１８の上端に設けられればハンドルポール７４が回転しない構造でも手の中で滑らせながら開放することができる。ハンドルポール７４は消火栓扉１８の上端全てに設ける必要はなく、両手が握る位置に相当する２箇所に分割して設けても良いし、中央部分の一部に一つ設けても良い。
【００９０】
図９は、本発明における扉支持構造の他の実施形態を示した側面図であり、図９（Ａ）に閉鎖状態を示し、図９（Ｂ）に開放状態を示している。図９の実施形態にあっては、ヒンジ２１を中心に消火栓扉１８を斜め下向きとなるように開いた時に、消火栓扉１８の下端が、バケットフレーム４０の前側に形成した図６に示すホース取出口４５の下部に設けた張出ホースガイド４７に当接して止まるように配置しており、これに伴い消火栓扉１８の張出ホースガイド４７に相対した下端にストッパ部材８０を装着している。ストッパ部材８０としては張出ホースガイド４７に当接した際の衝撃を吸収する必要があることから、ゴムブッシュなどの緩衝材を使用する。消火栓扉１８の下端が張出ホースガイド４７に当接するように、消火栓扉１８の回動軸であるヒンジ２１を消火栓扉の下端よりも少し上方位置に設定し、ヒンジ２１から消火栓扉下端までの長さを張出ホースガイド４７まで届くための長さに設定している。
【００９１】
このようにホース取出口の下部に設けた張出ホースガイド４７を利用して消火栓扉１８を斜め下向きの開放位置に位置決め停止することで、ダンパーなどの緩衝装置を別途必要とせず、簡単な構造で確実に衝撃を受けることなく消火栓扉１８を斜め下向きに開放して位置決めできる。
【００９２】
なお、図９の実施形態においては、前方に張り出した張出ホースガイド４７に当接して止まるようにしているが、前方に張り出さないバケットフレーム４０に当接して止まるようにしても良い。
【００９３】
図１０は消火栓扉の開放位置での位置決め停止に緩衝装置を使用した本発明の他の実施形態を、第１筐体１２−１側の消火栓扉を外し、保守扉２２は上向きに開いてステー２７で支持した状態で内部構造を示した正面図である。
【００９４】
図１０において、第１筐体１２−１の左側にはホース収納部３６が形成され、右側にバルブ類収納部３８を形成している。
【００９５】
第１筐体１２−１における扉開口部１６の下側両角部の２箇所には、消火栓扉１８が開放されるときに接触して消火栓扉１８をゆっくりと開放させる緩衝装置８２が設けられている。即ち、緩衝装置８２は消火栓扉１８から分離されて第１筐体１２−１に支持装置８４による取り付けで配置されており、消火栓扉１８の所定角度以上の開放状態で接触して扉の動きを抑制する。それ以外の構成は図２と同じである。
【００９６】
図１１は、図１０について内部構造を示した平面図である。図１１において、扉開口部１６の下側の両角部近傍であって開放状態にある消火栓扉１８の両側には、第１筐体１２−１側に配置した緩衝装置８２が位置し、開放位置に消火栓扉１８を支えている。それ以外の構成は図３と同じである。
【００９７】
図１２は図１０について内部構造を示した側面図であり、消火栓扉１８が開放して緩衝装置８２に当接した状態を示している。
【００９８】
図１２において、第１筐体１２−１の前面の閉鎖状態にある消火栓扉１８は、ハンドル操作によりラッチを解除することで、ヒンジ２１を中心に図示の前方位置に開くことができる。
【００９９】
消火栓扉１８のヒンジ２１を越えた下側には当接部８６が延在されている。この当接部８６が消火栓扉１８の開放で移動する軌跡に対応して支持部材８４により緩衝装置８２が第１筐体１２−１の内側に配置されている。衝撃装置８２は本体８８の下側にピストンロッド９０を突出しており、閉鎖状態で消火栓扉１８とは接触せずにフリー状態としている。
【０１００】
閉鎖状態にある消火栓扉１８を開放すると、開放角度が所定の開放角度θに達した時に、消火栓扉１８の後縁から延在している当接部８６がピストンロッド９０の先端に接触し、ピストンロッド９０の押し上げによる衝撃を吸収した後、扉自重による力を受けてゆっくりとストロークして、図１３に示すように、消火栓扉１８が略水平となる開放位置に保持する。
【０１０１】
緩衝装置８２のピストンロッド９０に当接する開放角度θは、筐体内部にあるノズル４８や消火栓開閉レバー６４を認識できる位置、もしくは消火栓開閉レバー６４に手が届いて操作できるまで開放した角度であり、消火作業時に消火栓開閉レバー６４を操作できる位置、即ち装置内部（消火時に操作する部材）がはっきりみえる位置まで消火栓扉１８を迅速に開放できる。
【０１０２】
例えば開放角度θを９０°とすると、９０°までは緩衝装置８２の作用がないため迅速に消火栓扉が開放され、９０°以降は緩衝装置８２の作用でゆっくりと開放されて衝撃を和らげることができる。
よって、消火栓扉１８が全開するまでの時間を短縮することができる。また、たとえ緩衝装置８２が故障して動かなくなっても、扉は必ず開放角度θまで開放することができるため、消火作業を確実に行うことができる。
【０１０３】
この実施形態の場合、消火栓扉１８には、ノズルや消火栓弁開閉レバーが設けられていないことから軽量化されており、開放により緩衝装置８２に接触した際の衝撃力は低く、最大吸収エネルギーが小さい小型でコスト的にも安価な緩衝装置８２を使用することができる。また、消火栓扉１８の両側の２箇所に緩衝装置８２を設けたことにより、扉開放による衝突エネルギーを分散し、バランス良く消火栓扉１８を開放させることができる。
【０１０４】
図１３のように開いた消火栓扉１８は緩衝装置８２と分離しているため、第１筐体１２−１から引き出したノズル４８を装着したホース４４をホース収納部３６に内巻きする作業時、または第１筐体１２−１内の機器を点検する保守作業時に、第１筐体１２−１から容易に取り外すことができ、開放した消火栓扉１８に邪魔されることなく、ホース巻取り作業や保守作業ができる。
【０１０５】
図１４は本実施形態で使用する緩衝装置を取り出して示した断面図である。図１４（Ａ）に消火栓扉１８の接触していない緩衝装置８２のフリー状態を示し、図１４（Ｂ）に、消火栓扉が開放により接触してピストンロッドを押し上げた状態を示している。
【０１０６】
図１４（Ａ）のフリー状態において、緩衝装置８２は本体８８の内部に設けたシリンダ９５にピストンロッド９０を一体に備えたピストン９２を、バネ９４を介して摺動自在に組み込んでいる。シリンダ９５の軸方向の４箇所にはオリフィスが形成され、アキュームレータ９６に至る外側の液室に連通している。本体８８の内部には作動油が収納されている。
【０１０７】
アキュームレータ９６の中には独立発泡のニトリルゴム９８が配置され、作動油の圧力を受けてニトリルゴム９８が圧縮されてピストン９２の移動に伴う容積変化を吸収するようにしている。本体８８は外周に外ネジを切っており、ナットにより支持部材８４に固定されている。
【０１０８】
緩衝装置８２の動作は、ピストンロッド９０の先端に消火栓扉１８の開放に伴う接触により矢印で示す力を受けると、ピストン９２がバネ９４に抗して上側にストロークする。ピストン９２がストロークすると上側のオイル室の容積が減少して作動油がオリフィスを介して流れ出し、容積が増加する下側のオイル室に流れ込み、同時にアキュームレータ９６に流れ込んでニトリルゴム９８を圧縮して容積変化分を吸収する。
【０１０９】
このときのオリフィスを流れる作動油の抵抗とアキュームレータ９６のニトリルゴム９８の変形反力により衝撃によるエネルギーが吸収され、ピストン９２はゆっくりストロークし、ピストンロッド９０が図１４（Ｂ）の位置に押し込まれた状態で消火栓扉を全開位置に開放する。
【０１１０】
なお、上記の実施形態は、消火栓扉の裏面に消火栓弁開閉レバーやノズルを設けない構造を例にとるものであったが、図１５〜図１７の従来例と同様に、消火栓扉の内側に、消火栓弁開閉レバーやノズルを設けた構造についても、同様に適用することができる。このノズルを消火栓扉１８の裏面に取り付けた場合は、消火栓扉１８を開放した際に操作者が扉裏のノズルを認識できる程度に開放した際に緩衝装置８２に接触して、その後はゆっくりと開放するようにする。例えば、消火栓扉が水平位置（θ＝９０°）まで開放した際に緩衝装置の効果が得られるようにする。
【０１１１】
また、上記の実施形態にあっては、消火栓扉１８のヒンジ２１を位置上げしたことで、消火栓扉１８により閉止している扉開口部１６の開口高さが狭くなっているが、消火栓扉１８の上部に配置している保守扉２２の高さ方向の幅を狭くし、その分、消火栓扉１８の高さ方向の幅及びそれに相対する扉開口部の高さ方向の開口幅を広げ、ホースの出し入れを更に容易にできるようにしても良い。また消火栓扉１８の高さ方向の幅及びそれに相対する扉開口部の高さ方向の開口幅を大きく確保するためには、保守扉２２を廃止して一枚の消火栓扉としても良い。
【０１１２】
また上記の実施形態は消火栓扉１８及び保守扉２２のロック機構におけるマグネットを筐体側となる化粧板側に設け、受け板を扉側に設けているが、逆にマグネットを扉側に設け、受け板を筐体側に設けるようにしても良い。また、マグネットに限らず他のロック手段であっても良い。
【０１１３】
また本発明はその目的と利点を損なうことのない適宜の変形を含み、更に上記の実施形態に示した数値による限定は受けない。
【符号の説明】
【０１１４】
１０：消火栓装置
１２−１，１２−２：筐体
１８：消火栓扉
２１，２３：ヒンジ
２２：保守扉
５１：給水栓
６８：上扉ロック機構
６８ｂ，７０ｂ：受け板
７０：下扉ロック機構
７２：ストッパ面
７４：ハンドルポール
７６：支持アーム
７８：ポンプ起動スイッチ
８０：ストッパ部材
８２：緩衝装置
【図１】
2011015949.tif 000003
【図２】
2011015949.tif 000004
【図３】
2011015949.tif 000005
【図４】
2011015949.tif 000006
【図５】
2011015949.tif 000007
【図６】
2011015949.tif 000008
【図７】
2011015949.tif 000009
【図８】
2011015949.tif 000010
【図９】
2011015949.tif 000011
【図１０】
2011015949.tif 000012
【図１１】
2011015949.tif 000013
【図１２】
2011015949.tif 000014
【図１３】
2011015949.tif 000015
【図１４】
2011015949.tif 000016
【図１５】
2011015949.tif 000017
【図１６】
2011015949.tif 000018
【図１７】
2011015949.tif 000019